(57)【特許請求の範囲】
【請求項１】
映像情報と該映像情報を管理するための管理情報とを記録媒体に記録する機能と、前記記録媒体から前記管理情報を読み出し、該読み出した管理情報に従い前記記録媒体から前記映像情報を再生する機能とを有する映像情報記録再生装置において、映像情報の記録終了時に該映像情報の全体を管理するための第１の管理情報を該映像情報が記録された第１の記録媒体に記録すると共に、該映像情報の記録中に該映像情報の記録済みの部分を管理するための第２の管理情報を第２の記録媒体に記録する第１の手段と、前記第１の記録媒体から読み出した第１の管理情報と前記第２の記録媒体から読み出した前記第２の管理情報とを比較し、相違する場合には前記第２の管理情報を前記第１の記録媒体に記録する第２の手段とを備えることを特徴とする映像情報記録再生装置。
【請求項２】
前記第２の記録媒体の書き換え可能回数が前記第１の記録媒体の書き換え可能回数より多いことを特徴とする請求項１に記載の装置。
【請求項３】
前記第２の手段は、所定の時間が経過する度に前記第２の記録媒体に記録された前記第２の管理情報を書き換えて更新することを特徴とする請求項２に記載の装置。
【請求項４】
前記第２の手段は、前記第１の記録手段に所定の数の映像情報ユニットが記録される度に前記第２の記録媒体に記録された前記第２の管理情報を書き換えて更新することを特徴とする請求項２に記載の装置。
【請求項５】
前記第１の記録媒体がＤＶＤ-ＲＷであることを特徴とする請求項２から４のいずれかに記載の装置。
【請求項６】
前記第２の記録媒体がハードディスクであることを特徴とする請求項５に記載の装置。
【請求項７】
前記第２の手段は、電源が投入された時及び電源が復帰したときに前記第１の管理情報と前記第２の管理情報とを比較することを特徴とする請求項１に記載の装置。
【請求項８】
前記第２の記録媒体に映像情報及び該映像情報を管理するための管理情報を記録することを特徴とする請求項１に記載の装置。
【発明の詳細な説明】
【０００１】
【発明の属する技術分野】
本発明は、映像情報を記録し再生する装置に関する。
【０００２】
【従来の技術】
デジタル動画情報の圧縮、伝送、蓄積に用いられる符号化方式としてＭＰＥＧ（Moving Picture Experts Group）が知られている。この符号化方式はＤＶＤ（Digital versatile disk）に映像情報を記録する際にも用いられており、ＤＶＤには、複数のフレーム情報からなるＧＯＰ（Group of Picture）を記録単位として映像が記録される。
【０００３】
図８に１５フレーム（画面）を１ＧＯＰとするときの符号化構造の例を示す。図８において、２０はＧＯＰ、２１はフレーム内の離散コサイン変換（以下ＤＣＴ変換という）により圧縮され、他のフレーム画像を参照しないで復元可能な映像情報（Ｉピクチャ）、２２は時間的に前のフレーム画像を参照画像としてフレーム間ＤＣＴ変換により圧縮された映像情報（Ｐピクチャ）、２３は時間的に前後するＩピクチャ及びＰピクチャを参照画像としてフレーム間ＤＣＴ変換により圧縮された映像情報（Ｂピクチャ）である。
【０００４】
ＭＰＥＧでは、映像情報は上述したようにＧＯＰ単位でディスクに記録されるが、該映像情報を管理するための管理情報もＵＤＦ（Universal Disk Format）と呼ばれるファイルシステムに従い記録される。該管理情報は映像情報のファイル名、開始アドレス、情報長等を含む情報である。従来の映像情報記録再生装置では、管理情報は映像情報の記録終了時に生成され、映像情報が記録されたディスクの予め定められた領域に書き込まれる。再生時には、この管理情報を解釈して映像情報が再生される。
【０００５】
【発明が解決しようとする課題】
上記の従来の映像情報記録再生装置では、映像情報の記録中に不意の停電等の電源遮断が発生すると管理情報がディスクに記録されないため、電源遮断の発生までに記録していた映像も再生できなくなる。このような問題に対処するため、管理情報を映像情報の記録終了時に記録するのでなく、映像情報の記録中に一時的管理情報として記録し、記映像情報の記録の進行に伴い更新していくことが提案されている。しかしながら、このようにすると映像情報の記録用の媒体として広く供給されているＤＶＤ-ＲＷ（書き換え可能なＤＶＤ）を用いることが困難となる。なぜならば、日経エレクトロニクス１９９９  １２-１３  Ｎｏ．７５９号２７ページに記載されているように、ＤＶＤ-ＲＷの書き換え可能回数は１０００回程度であり、管理情報を頻繁に書き換えると記録媒体としての寿命が縮むことになるからである。
【０００６】
また、電源遮断に備え、特別のバックアップ電源を備えることも提案されているが、このようにすると装置が大きくなり、価格も上昇するという別の問題が生じる。
【０００７】
本発明の課題は、特別のバックアップ電源が不要であり、ＤＶＤ-ＲＷのような記録回数に制限のある記録媒体の寿命を縮めることなく、電源遮断が発生した場合に途中まで記録していた映像を再生することのできる映像記録再生装置を提供することである。
【０００８】
【課題を解決するための手段】
上記課題は、映像情報と該映像情報を管理するための管理情報とを記録媒体に記録する機能と、前記記録媒体から前記管理情報を読み出し、該読み出した管理情報に従い前記記録媒体から前記映像情報を再生する機能とを有する映像情報記録再生装置において、映像情報の記録終了時に該映像情報の全体を管理するための第１の管理情報を該映像情報が記録された第１の記録媒体に記録すると共に、該映像情報の記録中に該映像情報の記録済みの部分を管理するための第２の管理情報を第２の記録媒体に記録する第１の手段と、前記第１の記録媒体から読み出した第１の管理情報と前記第２の記録媒体から読み出した前記第２の管理情報とを比較し、相違する場合には前記第２の管理情報を前記第１の記録媒体に記録する第２の手段とを備えることを特徴とする映像情報記録再生装置により解決される。
【０００９】
前記第２の記録媒体の書き換え可能回数は前記第１の記録媒体の書き換え可能回数より多いことが好ましい。
【００１０】
前記第２の手段は、所定の時間が経過する度に前記第２の記録媒体に記録された第２の管理情報を書き換え更新するようにしてもよく、あるいは前記第１の記録手段に所定の数の映像情報ユニットが記録される度に前記第２の記録媒体に記録された第２の管理情報を書き換え更新するようにしてもよい。
【００１１】
前記第１の記録媒体としてＤＶＤ-ＲＷを使用することができる。また、前記第２の記録媒体としてハードディスクを使用することができる。
【００１２】
前記第２の手段は、電源が投入された時または電源が復帰したときに前記第１の管理情報と第２の管理情報とを比較することが好ましい。
【００１３】
前記第２の記録媒体に映像情報及び該映像情報を管理するための管理情報を記録するようにしてもよい。
【００１４】
【発明の実施の形態】
実施の形態１．
図１に本発明の映像情報記録再生装置の実施の形態１の構成を示す。この装置は、記録媒体１、記録再生制御回路２、インターフェース回路３、記録媒体４、記録再生制御回路５、インターフェース回路６、インターフェース制御回路７、システムコントローラ８、メモリコントローラ９、映像／管理情報メモリ１０、映像／音声符号化回路１１、Ａ／Ｄ変換回路１２、アナログ信号入力段１３、映像音声復号化回路１４、Ｄ／Ａ変換回路１５、アナログ信号出力段１６を含む。
【００１５】
上記構成の装置において、アナログ信号入力段１３からのアナログ信号はＡ／Ｄ変換回路１２でデジタル信号に変換され、映像／音声符号化回路１１でＭＰＥＧ等の符号化方式に従い符号化され且つ複合され一つの映像情報ストリームとなる。この映像情報ストリームはメモリコントローラ９を介して映像／管理情報メモリ１０の映像情報領域に格納される。
【００１６】
図４は映像／管理情報メモリ１０のマッピング図である。映像／管理情報メモリ１０は映像情報を格納する映像情報領域１００、管理情報を格納する管理情報領域１０１、１０２、１０３を含む。管理情報領域１０１は、映像情報の再生時、記録媒体１に記録されている管理情報を読み込み格納するための領域であり、管理情報領域１０２は、記録媒体４に記録された映像情報の再生時、記録媒体４に記録されている管理情報を読み込み格納するための領域であり、管理情報領域１０３は、映像情報の記録媒体１への記録中に記録媒体４に書き込まれる一時的管理情報を格納するための領域である。尚、後述するように、記録媒体１に記録されている映像情報についての一時的管理情報を記録媒体４から読み出す場合には、読み出した一時的管理情報は管理情報領域１０３に格納される。
【００１７】
インターフェース制御回路７は記録媒体１及び記録媒体４へのインターフェース機能をそれぞれ実行するインターフェース回路３及びインターフェース回路６に対し、記録再生の命令や映像／管理情報メモリ１０に格納されている映像情報及び管理情報を転送する。
【００１８】
映像／管理情報メモリ１０に格納されている映像情報を記録媒体１に記録するときには、インターフェース制御回路７はインターフェース回路３に記録命令とともに映像情報を転送する。インターフェース回路３はこの命令を解釈し、記録再生制御回路２に記録動作を開始させる。記録再生制御回路２は記録媒体１の位置決めを行い、映像情報を書き込む。
【００１９】
システムコントローラ８は記録媒体１への映像情報の記録の進行に伴い、管理情報領域１０３に格納されている一時的管理情報を更新していく。
【００２０】
インターフェース制御回路７は、記録時、インターフェース回路６に記録命令と共に一時的管理情報を転送する。インターフェース回路６はこの命令を解釈し、記録再生制御回路５に記録動作を開始させる。記録再生制御回路５は記録媒体４の位置決めを行い、記録媒体１に記録中の映像情報についての一時的管理情報を書き込んでいく。
【００２１】
尚、以上の説明は、記録媒体１に記録される映像情報の一時的管理情報を記録媒体４に書き込む場合についてのものであるが、映像／管理情報メモリ１０に格納されている映像情報をその管理情報と共に記録媒体４に記録することも勿論可能である。
【００２２】
次に記録媒体１に記録された映像情報を再生する動作を説明する。この場合、インターフェース制御回路７はインターフェース回路３に再生命令を送る。インターフェース回路３はこの命令を解釈し、記録再生制御回路２に再生動作を開始させる。記録再生制御回路２は記録媒体１の位置決めを行い、映像情報及び管理情報を読み出す。
【００２３】
読み出された映像情報及び管理情報はメモリコントローラ９を介して映像／管理情報メモリ１０内の映像情報領域１００及び管理情報領域１０１に格納される。格納された映像情報は、メモリコントローラ９を介して映像／音声復号化回路１４に転送されて復号され、映像と音声とに分離され、Ｄ／Ａ変換回路１５でアナログ信号に変換され、アナログ信号出力段１６から外部に出力される。
【００２４】
記録媒体４から映像情報を再生するときも上記と同様である。即ち、インターフェース制御回路７はインターフェース回路６に再生命令を送る。インターフェース回路６はこの命令を解釈し、記録再生制御回路５に再生動作を開始させる。記録再生制御回路５は記録媒体４の位置決めを行い、映像情報及び管理情報を読み出す。読み出された映像情報及び管理情報は、メモリコントローラ９を介して映像／管理情報メモリ１０の映像情報領域１００及び管理情報領域１０２に格納される。格納された映像情報は、メモリコントローラ９を介して映像／音声復号化回路１４に転送されて復号され、映像と音声とに分離され、Ｄ／Ａ変換回路１５でアナログ信号に変換され、アナログ信号出力段１６から外部に出力される。
【００２５】
尚、後述するように、装置への電源投入時あるいは電源復帰時に、記録媒体１に記録された映像情報についての一時的管理情報を記録媒体４から読み出す場合には、読み出された一時的管理情報は領域１０３に格納される。
【００２６】
メモリコントローラ９は、映像／管理情報メモリ１０が記録時にオーバフローしないように、また再生時に空にならないようにするため、映像／管理情報メモリ１０の映像領域１００がフルに近い状態及びエンプティに近い状態を検出する機能を有している。メモリコントローラ９はまた、映像／管理情報メモリ１０の管理情報領域１０１の内容と管理情報領域１０３の内容とを比較する機能も有している。
【００２７】
次に、上記構成の映像情報記録再生装置の電源投入時又は電源遮断後の復帰時の動作を図５のフローチャートを参照して説明する。
【００２８】
電源が投入された時、又は電源が復帰したときには先ず、記録媒体１に記録されている管理情報１を読み出し、映像／管理情報メモリ１０の管理情報領域１０１に転送する（ステップＳ１）。次に、記録媒体１に記録されている映像情報についての管理情報２を記録媒体４から読み出し、映像／管理情報メモリ１０の管理情報領域１０３に転送する（ステップＳ２）。
【００２９】
記録媒体１への映像情報の記録が正常終了しているか否かを確認するため、管理情報1と管理情報２とを比較する（ステップＳ３）。管理情報１と管理情報２とが相違する場合は、前回の映像情報の記録中に電源遮断等が発生し、記録が正常終了しなかったと判断し、管理情報２を記録媒体１に書き込む（ステップＳ４）。この処理により、記録媒体１に記録されている映像情報及び管理情報が整合し、装置を復帰させて以降の記録再生動作を実行することが可能になる。
【００３０】
次に、ユーザからの映像情報の録画開始の要求を待ち（ステップＳ５）、この要求があった場合には映像情報を記録媒体１に記録すると共に、記録の完了した映像情報についての管理情報を記録媒体２に書き込む（ステップＳ６、ステップＳ７、ステップＳ８）。
【００３１】
ユーザからの録画停止要求があった時には、映像情報の記録を終了し（ステップＳ８）、管理情報領域１０３内の一時的管理情報を最終的な管理情報として記録媒体１に書き込む（ステップＳ９）。これで映像情報の録画が正常終了し、記録媒体１及び２にそれぞれ記録された管理情報は、記録媒体１に記録された映像情報の同じ管理情報となる。
【００３２】
上記一連の動作は、システムコントローラ８が不図示のプログラムＲＯＭに格納された制御プログラムに従って行う。記録媒体１としてＤＶＤ-ＲＷを使用し、記録媒体４としてハードディスクを使用することができる。このように、録画中に電源遮断等により記録動作が中断しても、電源の復帰時、ハードディスクに格納されている管理情報に従い、装置を復帰させ動作を継続させることができる。
【００３３】
実施の形態２．
図２に本発明の映像記録再生装置の実施の形態２の構成を示す。この実施の形態２は、タイマー１７がシステムコントローラ８に接続されている点で実施の形態１と異なる。タイマー１７は、システムコントローラ８により、所定の時間が経過する度にシステムコントローラ８に割り込み信号を送出するように設定される。システムコントローラ８は、割り込み信号を受け取るタイミングで映像／管理情報メモリ１０の管理情報領域１０３内の記録媒体１に記録中の映像情報についての一時的管理情報を更新する。即ち、タイマー１７は、記録媒体４に書き込まれた一時的管理情報を更新するタイミングを規定する信号を生成するために備えられる。記録媒体４としては、一時的管理情報の頻繁な更新を考慮し、書き換え寿命の充分に長いハードディスクのような媒体を選択することが好ましい。
【００３４】
次に実施の形態２の装置の電源投入時又は電源遮断後の復帰時の動作を図６のフローチャートを参照して説明する。
【００３５】
電源が投入された時、又は電源が復帰したときには先ず、記録媒体１に記録されている管理情報１を読み取り、映像／管理情報メモリ１０の管理情報領域１０１に転送する（ステップＳ１）。次に、記録媒体１に記録されている映像情報についての管理情報２を記録媒体４から読み出し、映像／管理情報メモリ１０の管理情報領域１０３に転送する（ステップＳ２）。
【００３６】
記録媒体１への映像情報の記録が正常終了しているか否かを確認するため、管理情報1と管理情報２とを比較する（ステップＳ３）。管理情報１と管理情報２とが相違する場合は、前回の映像情報の記録中に電源遮断等が発生し、記録が正常終了しなかったと判断し、管理情報２を記録媒体１に書き込む（ステップＳ４）。この処理により、記録媒体１に記録されている映像情報及び管理情報が整合し、装置を復帰させ以降の記録再生動作を実行することが可能になる。
【００３７】
次に、ユーザからの映像情報の録画開始の要求を待ち（ステップＳ５）、この要求があった場合には映像情報を記録媒体１に記録すると共に、タイマー１７が所定時間が経過する度に発生する割り込みのタイミングに従い、映像情報を所定時間記録する度に一時的管理情報を記録媒体２に書き込み、更新して行く（ステップＳ１０、ステップＳ７、ステップＳ８）。
【００３８】
ユーザからの録画停止要求があった時には、映像情報の記録を終了し（ステップＳ８）、管理情報領域１０３内の一時的管理情報を最終的な管理情報として記録媒体１に書き込む（ステップＳ９）。これで映像情報の録画が正常終了し、記録媒体１及び２にそれぞれ記録された管理情報は、記録媒体１に記録された映像情報の同じ管理情報となる。
【００３９】
上記一連の動作は、システムコントローラ８が不図示のプログラムＲＯＭに格納された制御プログラムに従って行う。記録媒体１としてＤＶＤ-ＲＷを使用し、記録媒体４としてハードディスクを使用することができる。このように、録画中に電源遮断等により記録動作が中断しても、電源の復帰時、ハードディスクに格納されている管理情報に従い、装置を復帰させ動作を継続させることができる。また、一定時間が経過する度に頻繁に書き換えられる一時的管理情報はハードディスクに記録されるのでＤＶＤ-ＲＷ等の記録媒体の寿命を短くすることもない。
【００４０】
実施の形態３．
図３に本発明の映像情報記録再生装置の実施の形態３の構成を示す。実施の形態３は、システムコントローラ８及び映像／音声符号化回路１１に接続されたＶＯＢＵ検出回路１８を備える点で実施の形態１と異なっている。
【００４１】
ＶＯＢＵ検出回路１８は、映像／音声符号化回路１１で符号化された映像情報ユニット（以下、ＶＯＢＵという）を検出し、予め定められた数のＶＯＢＵを検出した時点でシステムコントローラ８に割り込み信号を送出する機能を有する。このＶＯＢＵは、図８で説明したＭＰＥＧにおけるＧＯＰに相当するものである。
【００４２】
システムコントローラ８は、ＶＯＢＵ検出回路１８から割り込み信号を受け取ると、映像／管理情報メモリ１０の管理情報領域１０３に格納されている一時的管理情報を更新する。即ち、ＶＯＢＵ検出回路１８は、記録媒体４に書き込まれた一時的管理情報を更新するタイミングを規定する信号を生成するために備えられる。記録媒体４は、一時的管理情報の頻繁な更新を考慮し、書き換え寿命の充分に長いハードディスクのような媒体を選択することが好ましい。
【００４３】
次に実施の形態３の装置の電源投入時又は電源遮断後の復帰時の動作を図７のフローチャートを参照して説明する。
【００４４】
電源が投入された時、又は電源が復帰したときには先ず、記録媒体１に記録されている管理情報１を読み取り、映像／管理情報メモリ１０の管理情報領域１０１に転送する（ステップＳ１）。次に、記録媒体１に記録されている映像情報についての管理情報２を記録媒体４から読み出し、映像／管理情報メモリ１０の管理情報領域１０３に転送する（ステップＳ２）。
【００４５】
記録媒体１への映像情報の記録が正常終了しているか否かを確認するため、管理情報1と管理情報２とを比較する（ステップＳ３）。管理情報１と管理情報２とが相違する場合は、前回の映像情報の記録中に電源遮断等が発生し、記録が正常終了しなかったと判断し、管理情報２を記録媒体１に書き込む（ステップＳ４）。この処理により、記録媒体１に記録されている映像情報と管理情報とが整合し、装置を復帰させ以降の記録再生動作を実行することが可能になる。
【００４６】
次に、ユーザからの映像情報の録画開始の要求を待ち（ステップＳ５）、この要求があった場合には映像情報を記録媒体１に記録すると共に、ＶＯＢＵ検出回路１８からの割り込みのタイミングに従い、所定数のＶＯＢＵが記録される度に該映像情報についての一時的管理情報を記録媒体２に書き込む（ステップＳ１１、ステップＳ７、ステップＳ８）。
【００４７】
ユーザからの録画停止要求があった時には、映像情報の記録を終了し（ステップＳ８）、管理情報領域１０３内の一時的管理情報を最終的な管理情報として記録媒体１に書き込む（ステップＳ９）。これで映像情報の録画が正常終了し、記録媒体１及び２にそれぞれ記録された管理情報は、記録媒体１に記録された映像情報の同じ管理情報となる。
【００４８】
上記一連の動作は、システムコントローラ８が不図示のプログラムＲＯＭに格納された制御プログラムに従って行う。記録媒体１としてＤＶＤ-ＲＷを使用し、記録媒体４としてハードディスクを使用することができる。このように、録画中に電源遮断等により記録動作が中断しても、電源の復帰時、ハードディスクに格納されている管理情報に従い、装置を復帰させ動作を継続させることができる。また、一定の量の映像情報を記録する度に頻繁に書き換えられる一時的管理情報はハードディスクに記録されるのでＤＶＤ-ＲＷ等の記録媒体の寿命を短くすることもない。
【００４９】
【発明の効果】
請求項１に記載の発明によれば、映像情報の記録中に停電等による電源遮断が発生して記録が中断され、記録媒体に管理情報が記録されなくても、別の記録媒体に記録しておいた一時的管理情報を用いることにより、電源遮断が発生するまでに記録されていた映像情報を再生することができる。
【００５０】
請求項２に記載の発明によれば、映像情報の記録中に一時的管理情報を更新するシステムの信頼性を高めることができる。
【００５１】
請求項３に記載の発明によれば、一定の時間が経過する度に一時的管理情報を更新することにより、再生時の映像情報の欠落を最小限にすることができる。
【００５２】
請求項４に記載の発明によれば、一定の数の映像情報ユニットが記録される度に一時的管理情報を更新することにより、再生時の映像情報の欠落を最小限にすることができる。
【００５３】
請求項５に記載の発明によれば、映像の記録媒体として広く用いられているＤＶＤ-ＲＷを用いて上記の請求項１から４に記載の発明の効果を得ることができる。
【００５４】
請求項６に記載の発明によれば、書き換え可能回数の極めて多いハードディスクに一時的管理情報を記録し更新することにより、装置の信頼性を高めることができる。
【００５５】
請求項７に記載の発明によれば、装置の電源投入時あるいは電源復帰時に前回の映像情報の記録が正常終了したか否かを確認し、正常終了でなかった場合は映像情報が記録された記録媒体とは別の記録媒体に記録されている一時的管理情報を用いることにより装置を正常動作に復帰させることができる。
【００５６】
請求項８に記載の発明によれば、一時的管理情報を記録する第２の記録媒体にも映像情報を記録するので、装置をより効率的に利用できる。
【図面の簡単な説明】
【図１】  本発明の映像情報記録再生装置の実施の形態１の構成図である。
【図２】  本発明の映像情報記録再生装置の実施の形態２の構成図である。
【図３】  本発明の映像情報記録再生装置の実施の形態３の構成図である。
【図４】  本発明の映像情報記録再生装置の実施の形態１から３の映像／管理情報メモリ１０のマッピング図である。
【図５】  本発明の映像情報記録再生装置の実施の形態１の動作を説明するフローチャートである。
【図６】  本発明の映像情報記録再生装置の実施の形態２の動作を説明するフローチャートである。
【図７】  本発明の映像情報記録再生装置の実施の形態３の動作を説明するフローチャートである。
【図８】  ＭＰＥＧによる符号化構造を説明する図である。
【符号の説明】
１  記録媒体、  ２  記録再生制御回路、  ３  インターフェース回路、４  記録媒体、  ５  記録再生制御回路、  ６  インターフェース回路、７  インタフェース制御回路、  ８  システムコントローラ、  ９  メモリコントローラ、１０  映像／管理情報メモリ、  １１  映像／音声符号化回路、  １２  Ａ／Ｄ変換回路、  １３  アナログ信号入力段、  １４  映像／音声復号化回路、  １５  Ｄ／Ａ変換回路、１６  アナログ信号出力段、  １７  タイマー、  １８  ＶＯＢＵ検出回路、  ２０  ＧＯＰ、２１  Ｉピクチャー、２２  Ｐピクチャー、２３  Ｂピクチャー、  １００  映像情報領域、  １０２〜１０３  管理情報領域。
【図１】
0003815952.tif 000002
【図２】
0003815952.tif 000003
【図３】
0003815952.tif 000004
【図４】
0003815952.tif 000005
【図５】
0003815952.tif 000006
【図６】
0003815952.tif 000007
【図７】
0003815952.tif 000008
【図８】
0003815952.tif 000009